(57)【要約】【課題】浴槽パンの内側を洗浄するときに生じる多量の洗浄水を円滑に排水すること。【解決手段】浴槽パン排水口５に連通させる浴槽パン用排水受け口部１２と、浴槽パン用排水受け口部１２の内側に配置され浴槽排水口３に筒内側１３ｄを連通させる浴槽用排水筒部１３と、浴槽パン用排水受け口部１２から延設して集合排水路１５へ至る浴槽パン用排水路１６と、浴槽用排水筒部の筒内側１３ｄから延設して集合排水路１５へ至る浴槽用排水路１７とを備え、浴槽用排水筒部１３に、通常は閉弁して浴槽用排水筒部１３の筒内側１３ｄから浴槽パン用排水受け口部１２への通水を阻止すると共に、浴槽パン用排水受け口部１２から浴槽用排水筒部の筒内側１３ｄへの通水を可能にする逆止弁２０を設けたこと。【選択図】図１
2008280809.tif 000002
【特許請求の範囲】
【請求項１】
浴槽パンの排水を受ける浴槽パン用排水受け口部と、浴槽パン用排水受け口部の内側に配置され、浴槽の排水を受ける浴槽用排水筒部と、浴槽パン用排水受け口部から延設して集合排水路へ至る浴槽パン用排水路と、浴槽用排水筒部の筒内側から延設して該集合排水路へ至る浴槽用排水路とを備えた排水装置において、通常は閉弁して浴槽用排水筒部の筒内側から浴槽パン用排水受け口部への通水を阻止すると共に、浴槽パン用排水受け口部から浴槽用排水筒部の筒内側への通水を可能にする逆止弁を前記浴槽用排水筒部に取り付けたことを特徴とする浴槽パン及び浴槽用の排水装置。
【請求項２】
前記逆止弁は、前記浴槽用排水筒部に対して着脱可能に取着され、弁体に対して上流側となる前記浴槽パン用排水受け口部の内側に面する部位に、ゴミ捕獲部を設けた請求項１記載の浴槽パン及び浴槽用の排水装置。
【請求項３】
前記逆止弁は、内側に開口部を開口して縁部を接合した両側の枠部の間に差込み空間が形成され、前記浴槽用排水筒部の筒内側に位置する枠部に弁座が形成された弁座形成枠体と、弁座形成枠体の差込み空間に抜き差し自在に差し込まれ、弁座形成枠体の両側の枠部の開口部へ通水可能に露出するゴミ捕獲部、前記浴槽用排水筒部の筒内側へ露出する両側のピン受け部及び前記浴槽パン用排水受け口部の外側へ突出する把手を有する着脱用主体部と、前記浴槽用排水筒部の筒内側に位置して、両側のピン受け部に揺動自在に取り付けられた弁体とを備え、前記浴槽用排水筒部に着脱用主体部を把手を利用して着脱可能に係止したとき、前記浴槽用排水筒部に形成した弁取着用開口部へ弁座形成枠部を密着させる請求項１記載の浴槽パン及び浴槽用の排水装置。
【発明の詳細な説明】
【技術分野】
【０００１】
本発明は、浴槽パンの排水及び浴槽の排水を排出するための浴槽パン及び浴槽用の排水装置の改良に関するものである。
【背景技術】
【０００２】
従来、浴槽パン及び浴槽用の排水装置には、浴槽パン排水口に連通させた浴槽パン用排水受け口部と、浴槽パン用排水受け口部の内側に配置され浴槽排水口に筒内側を連通させた浴槽用排水筒部と、浴槽パン用排水受け口部から延設して集合排水路へ至る浴槽パン用排水路と、浴槽用排水筒部の筒内側から延設して該集合排水路へ至る浴槽用排水路とを備えたものがある。（特許文献１）
【特許文献１】特開２００６−６３７６５
【発明の開示】
【発明が解決しようとする課題】
【０００３】
従来の浴槽パン及び浴槽用の排水装置は、浴槽用排水路と浴槽パン用排水路の水路横断面積を比較したとき、浴槽用排水路の方を相当大きくして、浴槽の排水を早く完了できるようにしてある。
【０００４】
ところで、浴室の清掃には、浴槽と洗い場パンとの間に設けた着脱自在なエプロンを取り外す等して、洗い場側から浴槽パンの内側を洗浄する態様がある。
しかし、浴槽パン用排水路の水路横断面積を小さくしてあるため、排水能力が小さくなり、浴槽パンの内側を洗浄するときに多量の洗浄水を使用すると、排水能力が追いつかず、作業者にいら立ちを与えることがある。
本発明は、上記問題を解決できる浴槽パン及び浴槽用の排水装置の提供を目的とするものである。
【課題を解決するための手段】
【０００５】
浴槽パンの排水が増大しても排水を確保するために請求項１に記載の発明が採用した手段は、浴槽パンの排水を受ける浴槽パン用排水受け口部と、浴槽パン用排水受け口部の内側に配置され、浴槽の排水を受ける浴槽用排水筒部と、浴槽パン用排水受け口部から延設して集合排水路へ至る浴槽パン用排水路と、浴槽用排水筒部の筒内側から延設して該集合排水路へ至る浴槽用排水路とを備えた排水装置において、通常は閉弁して浴槽用排水筒部の筒内側から浴槽パン用排水受け口部への通水を阻止すると共に、浴槽パン用排水受け口部から浴槽用排水筒部の筒内側への通水を可能にする逆止弁を前記浴槽用排水筒部に取り付けたことを特徴とする浴槽パン及び浴槽用の排水装置である。
【０００６】
浴槽パン排水中のゴミから逆止弁を保護するするために請求項２に記載の発明が採用した手段は、前記逆止弁は、前記浴槽用排水筒部に対して着脱可能に取着され、弁体に対して上流側となる前記浴槽パン用排水受け口部の内側に面する部位に、ゴミ捕獲部を設けた請求項１記載の浴槽パン及び浴槽用の排水装置である。
【０００７】
浴槽パン排水中のゴミから逆止弁を保護するするために請求項３に記載の発明が採用した手段は、前記逆止弁は、内側に開口部を開口して縁部を接合した両側の枠部の間に差込み空間が形成され、前記浴槽用排水筒部の筒内側に位置する枠部に弁座が形成された弁座形成枠体と、弁座形成枠体の差込み空間に抜き差し自在に差し込まれ、弁座形成枠体の両側の枠部の開口部へ通水可能に露出するゴミ捕獲部、前記浴槽用排水筒部の筒内側へ露出する両側のピン受け部及び前記浴槽パン用排水受け口部の外側へ突出する把手を有する着脱用主体部と、前記浴槽用排水筒部の筒内側に位置して、両側のピン受け部に揺動自在に取り付けられた弁体とを備え、前記浴槽用排水筒部に着脱用主体部を把手を利用して着脱可能に係止したとき、前記浴槽用排水筒部に形成した弁取着用開口部へ弁座形成枠部を密着させる請求項１記載の浴槽パン及び浴槽用の排水装置である。
【発明の効果】
【０００８】
請求項１記載の本発明に係る浴槽パン及び浴槽用の排水装置は、浴槽から排出される浴槽排水が、浴槽排水口から浴槽用排水筒部の筒内側を通過し、浴槽用排水路で導かれて集合排水路へ至り外部へ排出され、この間、逆止弁が閉弁状態を維持しており、浴槽排水を浴槽パン用排水受け口部へ流出させることはない。浴槽パンを洗浄する等して多量の浴槽パン排水が生じたときには、浴槽パン用排水受け口部へ至った浴槽パン排水で浴槽パン用排水受け口部の内側の水位が上昇し、浴槽用排水筒部の筒内側と筒外側の水位差で逆止弁が開弁し、浴槽パン排水が分流してその一部が開弁中の逆止弁を通過して浴槽用排水筒部の筒内側へ流入し、浴槽用排水路で導かれて集合排水路へ至り、浴槽パン排水の分流した残部が浴槽パン用排水受け口部の内側を通過し、浴槽パン用排水路で導かれて集合排水路へ至り、両方が合流して外部へ排出される。また、本発明に係る浴槽パン及び浴槽用の排水装置は、逆止弁を設けることにより、例え浴槽パン排水量が増大しても、浴槽パン排水を分流して二つの排水路で導いた後に集合排水路で合流させることで、排水能力を増大させることができる。
【０００９】
請求項２及び３記載の本発明に係る浴槽パン及び浴槽用の排水装置は、逆止弁の開弁に伴いゴミ捕獲部を通過する浴槽パン排水中からゴミを捕捉して、弁座と弁体との間にゴミを至らせずに逆止弁の円滑な開閉を維持させることができる。また、浴槽用排水筒部に対して逆止弁が着脱可能となっているため、逆止弁を取り外して保守点検し易い場所へ移して、ゴミ捕獲部に付着しているゴミを除去する等の保守点検が簡単にできる。
【００１０】
請求項３記載の本発明に係る浴槽パン及び浴槽用の排水装置は、浴槽用排水筒部に逆止弁を取着するときに、浴槽用排水筒部の弁取着用開口部へ弁座形成枠体を密着させるので、閉弁中の通水を確実に阻止することが可能となる。更に、把手を利用して逆止弁を着脱することができるため、着脱操作が容易となり、仮に奥まった箇所に逆止弁が配置されていても、容易に着脱すことが可能となる。
【発明を実施するための最良の形態】
【００１１】
本発明に係る浴槽パン及び浴槽用の排水装置（以下、「本発明排水装置」と言う。）を図面に示す実施形態に基づいて説明する。
【００１２】
（第１の実施形態）
図１乃至図１１は本発明排水装置１の第１の実施形態を示すものであって、図１は本実施形態の全体を示す縦断面図、図２は浴槽パン用排水受け口部１２の近辺を拡大した縦断面図、図３は浴槽用排水筒部１３の弁取着用開口部５５へ逆止弁２０を取着する途中を示す縦断面図、図４は本発明排水装置１を浴槽２及び浴槽パン４から取り外した状態の平面図、図５は図４のＶ−Ｖ線で断面した拡大横断面図、図６は逆止弁２０と浴槽用排水筒部１３との関係を示すものであり、図（Ａ）は浴槽用排水筒部１３に逆止弁２０を取着した状態を示す斜視図、図（Ｂ）は分解した逆止弁２０と浴槽用排水筒部１３と接合管１４とを分離して示す斜視図、図７は浴槽用排水筒部を示すものであって、図（Ａ）は正面図、図（Ｂ）は平面図、図（Ｃ）は底面図、図（Ｄ）は背面図、図（Ｅ）は左側面図、図（Ｆ）は図（Ａ）のｆ−ｆ線で断面した左側断面図、図８は逆止弁２０を示すものであって、図（Ａ）は着脱用主体部２２と弁座形成枠体２１を分離して示す縦断面した側面図、図（Ｂ）は着脱用主体部２２に弁座形成枠体２１を嵌着して、弁体２５が取り付けられる前の状態を示す部分断面した側面図、図（Ｃ）は組み立てられた逆止弁２０を示す部分断面した側面図、図９は逆止弁２０の弁座形成枠体２１を示すものであって、図（Ａ）は正面図、図（Ｂ）は平面図、図（Ｃ）は底面図、図（Ｄ）は背面図、図（Ｅ）は左側面図、図（Ｆ）は図（Ａ）のｆ−ｆ線で断面した左側断面図、図１０は逆止弁２０の着脱用主体部２２を示すものであって、図（Ａ）は正面図、図（Ｂ）は平面図、図（Ｃ）は底面図、図（Ｄ）は背面図、図（Ｅ）は左側面図、図（Ｆ）は図（Ａ）のｆ−ｆ線で断面した左側断面図、図１１は逆止弁２０の弁体２５を示すものであって、図（Ａ）は正面図、図（Ｂ）は平面図、図（Ｃ）は底面図、図（Ｄ）は背面図、図（Ｅ）は左側面図、図（Ｆ）は図（Ａ）のｆ−ｆ線で断面した左側断面図である。
【００１３】
本発明排水装置１は、図１に示す如く、浴槽２を受けた浴槽パン４及び洗い場パン６の下方に配置され、浴槽２の排水口３、浴槽パン４の排水口５及び洗い場パン６の排水口７の各々に、本体ケーシング１１の対応する箇所を接合すると共に、集合排水管９に本体ケーシング１１の集合排水路１５の下流側を接合して施工される。本体ケーシング１１は、浴槽パン排水口５に連通させる浴槽パン用排水受け口部１２と、浴槽パン用排水受け口部１２から延設して集合排水路１５へ至る浴槽パン用排水路１６（図４，図５参照）と、浴槽パン用排水受け口部１２の底部を形成する区画壁２７に開設した開口部２８から延設して集合排水路１５へ至る浴槽用排水路１７と、洗い場パン排水口７に連通させる洗い場パン用排水受け口部１８と、洗い場パン用排水受け口部１８から集合排水路１５へ至る洗い場パン用排水路１９とが形成されている。
【００１４】
前記本体ケーシング１１は、図２に示す如く、前記浴槽パン用排水受け口部１２の内側１２ｃに浴槽用排水筒部１３が配置され、浴槽用排水筒部１３の上方開口部１３ａを浴槽排水口３へ連通させると共に、浴槽用排水筒部１３の下方開口部１３ｂを前記区画壁２７の開口部２８へ接合管１４を介して連通させてある。接合管１４は、例えば伸縮が容易な蛇腹状のゴム製管からなり（図６参照）、上端開口部１４ａを浴槽用排水筒部１３の底部に水密に外嵌接合させると共に、下端開口部１４ｂを前記区画壁２７の開口部２８に水密に内嵌接合させる等して、浴槽用排水筒部１３の筒内側１３ｄと浴槽用排水路１７とを確実に連通させてある。なお、接合管１４は、上下端の開口部１４ａ，１４ｂを接合するとき、圧縮されて配置され。浴槽用排水路１７は、集合排水路１５へ至る下流側が上方へ折れ曲がって、水路内に水封用溜水を蓄えるようになっており、浴槽用排水筒部１３の筒内側１３ｄに封水面Ｗ１を形成するようにしてある。
【００１５】
前記浴槽用排水筒部１３は、図２に示す如く、その上端側に形成した鍔部１３ｃと、上方開口部１３ａに螺着した浴槽側排水口部材３０の鍔部３０ａとで、浴槽排水口３の開口周縁を水密に挟持してある。浴槽側排水口部材３０は、内部に排水栓３１が内蔵され、浴槽縁部等に設けた操作ボタン（図示略）と排水栓を操作ケーブル（図示略）で連結して、操作ボタンの操作で排水栓３１を開閉するようにしてある。
【００１６】
前記本体ケーシング１１の浴槽パン用排水受け口部１２は、図２に示す如く、その上端側に形成した鍔部１２ｂと、上方開口部１２ａに螺着した接合具３２の鍔部３２ａとで、浴槽パン排水口４の開口周縁を水密に挟持してある。浴槽パン用排水受け口部１２は、その底部を形成する区画壁２７に、前記浴槽パン用排水路１６（図４，図５参照）の上流側が開口２７ａ（図４参照）して連通している。浴槽パン用排水路１６は、集合排水路１５へ至る下流側が上方へ折れ曲がって、水路内に水封用溜水を蓄えるようになつており、浴槽パン用排水受け口部１２の内側１２ｃに封水面Ｗ２を形成するようにしてある。この封水面Ｗ２は、前記浴槽用排水筒部１３の封水面Ｗ１と同一又は略同一の高さ位置（本例は同一の高さ位置）としてある。
【００１７】
前記本体ケーシング１１の洗い場パン用排水受け口部１８は、図１に示す如く、本体ケーシング１１の上方開口部１８ａの開口周縁と、上方開口部１８ａに螺着した接合具３３の鍔部３２ａとで、洗い場側パン排水口７の開口周縁を水密に挟持してある。洗い場パン用排水受け口部１８は、内側に水封用筒体３４が配設されている。洗い場側パン排水口７は、着脱自在なヘアーキャッチャー３５が配置され、着脱自在な目皿蓋体３６で覆われている。洗い場パン用排水受け口部１８から延設した洗い場パン用排水路１９は、集合排水路１５へ至る下流側が上方へ折れ曲がって、水路内に水封用溜水を蓄えるようになつており、洗い場パン用排水受け口部１８の内側に封水面Ｗ３を形成するようにしてある。
【００１８】
本発明排水装置１の改良点は、図２に示す如く、浴槽用排水筒部１３に通常は閉弁状態の逆止弁２０を設けることで、浴槽用排水筒部１３の筒内側１３ｄから浴槽パン用排水受け口部１２への通水を阻止すると共に、浴槽パン用排水受け口部１２から浴槽用排水筒部１３の筒内側１３ｄへの通水を可能としたことある。本発明排水装置１は、浴槽排水栓３１の開弁により浴槽２から排出される浴槽水を、浴槽排水口３から浴槽用排水筒部１３の筒内側１３ｄを通過させた後に、浴槽用排水路１７で導いて集合排水路１５から外部へ排出させる。この間、逆止弁２０は、閉弁状態を維持しており、浴槽排水を浴槽パン用排水受け口部１２の内側１２ｃへ流出させることはない。
【００１９】
本発明排水装置１は、図２に示す如く、浴槽パン４を洗浄する等して浴槽パン用排水路１６（図４，図５参照）の排水能力よりも多量の浴槽パン排水が生じたとき、浴槽パン用排水受け口部１２へ至った浴槽パン排水で浴槽パン用排水受け口部１２の内側１２ｃの水位が上昇し、浴槽用排水筒部１３の筒内側１３ｄと筒外側（浴槽パン用排水受け口部１２の内側１２ｃ）の水位差で逆止弁２０の弁体２５が開弁（図中二点鎖線で示す状態）する。逆止弁２０が開弁した本発明排水装置１は、浴槽パン排水を分流させ、その一部が開弁中の逆止弁２０を通過して浴槽用排水筒部１３の筒内側１３ｄへ流入し、排水能力が浴槽パン用排水路１６より大きな浴槽用排水路１７で導かれて集合排水路１５へ至り、分流した残部が浴槽パン用排水受け口部１２の内側１２ｃを通過し、浴槽パン用排水路１６（図４，図５参照）で導かれて集合排水路１５へ至り、集合排水路１５で両方が合流して外部へ排出される。このように、本発明排水装置１は、逆止弁２０を設けることにより、例え浴槽パン排水量が増大しても、浴槽パン排水を分流して二つの排水路１６，１７で導いて集合排水路１５で合流させることで、排水能力を増大させることができる。
【００２０】
前記逆止弁２０は、図２に示す如く、前記浴槽用排水筒部１３の側壁に対して着脱可能に取着（図３参照）され、弁体２５に対して上流側となる前記浴槽パン用排水受け口部１２に面する部位に、ゴミ捕獲部２３を設けてある。逆止弁２０は、その開弁に伴い通過する浴槽パン排水に混ざっているゴミをゴミ捕獲部２３で捕捉して、弁座２１ａと弁体２５との間にゴミを至らせずに円滑な開閉を維持させるようにしてある。また、逆止弁２０は、浴槽用排水筒部１３に対して着脱可能となっているため、取り外して保守点検し易い場所へ移して、ゴミ捕獲部２３に付着しているゴミを除去する等の保守点検が簡単できる。      
【００２１】
前記逆止弁２０は、取着時の水密性の向上や着脱時の操作性の向上を図るために、分割した形成した弁座形成枠体２１、着脱用主体部２２及び弁体２５を組み立て構成してある。すなわち、逆止弁２０は、図８に示すく如く、内側に開口部４１ａ，４２ａを開口して縁部を接合した両側の枠部４１，４２の間に差込み空間４５が形成され、浴槽用排水筒部１３の筒内側１３ｄに位置する枠部４２に弁座２１ａが形成された弁座形成枠体２１と、弁座形成枠体２１の差込み空間４５に抜き差し自在に差し込まれ、弁座形成枠体２１の両側の枠部４２１，４２の開口部４１ａ，４２ａへ露出して通水可能としたゴミ捕獲部２３、浴槽用排水筒部１３の筒内側１３ｄへ露出する両側のピン受け部４９，４９及び浴槽パン用排水受け口部１２の外側へ突出する把手２４を有する着脱用主体部２２と、浴槽用排水筒部１３の筒内側１３ｄに位置して、両側のピン受け部４９，４９に揺動自在に取り付けられた弁体２５とを備え、浴槽用排水筒部１３に着脱用主体部２２を把手を利用して着脱可能に係止したとき、浴槽用排水筒部１３に形成した弁取着用開口部５５（図３参照）へ弁座形成枠部２１を密着させるようにしてある。
【００２２】
前記弁座形成枠体２１は、図９に示す如く、通水用の開口部４１ａを形成した一方側（前側）の枠部４１と通水用の開口部４２ａを形成した他方側（後側）の枠部４２を、左右両側の接合部４３，４３及び底側の接合部４４で接合し、両側の枠部４１，４２の間に上端開口した差込み挿入空間４５を形成してある。弁座形成枠体２１は、底側の接合部４４の中央寄りに開口部４４ａを開設し、後側の枠部４２の左右上方寄りに開口部４２ｂ，４２ｂを開設してある。弁座形成枠体２１は、後側の枠部４２の開口部４２ａの前側四周縁に弁座２１ａを環状凸条に突出すると共に、後側の枠部４２の後側四周側縁に密着用の環状凸条４２ｃを突設してある。弁座形成枠体２１は、差込み挿入空間４５へ後述する着脱用主体部２２を差込みむときに変形し易い硬度の合成樹脂素材から成形されている。
【００２３】
前記着脱用主体部２２は、図１０に示す如く、合成樹脂素材から成形され、格子状等に開設したゴミ捕獲部２３を形成した差込み片部４６と、差込み片部４６の下端中央寄りに突設した下方係止片４７と、差込み片部４６の上端に連接した上方係合部４８と、上方係合部４８から延設した把手２４と、差込み片部４６の後側の左右上方寄りから突設したピン受け部４９，４９を備えている。
【００２４】
前記弁体２５は、図１１に示す如く、合成樹脂素材から成形され、弁板部５１と、弁板部５１の上端左右から突出したピン５２，５２を備え、弁板部５１の後面側を格子状に肉抜きして、剛性を大きくしつつ円滑な開閉を確保するための重量調整を行っている。
【００２５】
前記逆止弁２０の組み立ては、図８に示す如く、弁座形成枠体２１の差込み挿入空間４５へ着脱用主体部２２の差込み片部４６を差込み（同図（Ａ）（Ｂ）参照）、着脱用主体部２２のピン受け部４９，４９及び下方係止片４７を突出させ、ピン受け部４９，４９に弁体２５のピン５２，５２を支持させて弁体２５を揺動自在に吊り下げて完了する。
【００２６】
前記浴槽用排水筒部１３は、合成樹脂素材から成形され、逆止弁２０の着脱が確実且つ簡単に行えるように、図７に示す如く、弁取着用開口部５５が形成されている。弁取着用開口部５５は、正面四周縁に形成した環状のシール面５５ａに、逆止弁２０の弁座形成枠体２１の環状凸条４２ｃ（図８及び図９参照）を水密に当接できるようにする（図２参照）と共に、シール面５５ａの左右及び下方の外側縁から手前へ枠片５５ｂ，５５ｂ，５５ｃを突設させ、下方の枠片５５ｃに開設した係止用スリット５５ｄへ逆止弁２０の着脱用主体部２２の下方係止片４７（図８及び図１０参照）を係止できる（図２参照）ようにしてある。弁取着用開口部５５は、左右の枠片５５ｂ，５５ｂの正面上端側から案内片５５ｆ，５５ｆを突設させ、逆止弁２０を所定の装着位置へ案内すようにしてある。浴槽用排水筒部１３は、弁取着用開口部５５の上方に係止部５６が形成され、取着時の逆止弁２０の上方係合部４８を係止部５６へ係合させ（図２参照）、係合時の着脱用主体部２２の弾性変形に伴い生じた弾性力で確実に係合させて脱落させないようにしてある。
【００２７】
本発明排水装置１は、浴槽用排水筒部１３に逆止弁２０を着脱可能に取着するときに、浴槽用排水筒部１３の弁取着用開口部５５へ弁座形成枠体２１を密着させるので、閉弁中の通水を確実に阻止することが可能となる。更に、本発明排水装置１は、逆止弁２０の把手２４を操作して止水弁２０を着脱することができるため、着脱操作が容易となり、仮に奥まった箇所に逆止弁２０が配置されていても、容易に着脱すことが可能となる。
【００２８】
（第２の実施形態）
図１２乃至図１９は第２の実施形態の本発明排水装置６１を示すものであって、図１２は本実施形態における浴槽パン用排水受け口部１２の近辺を拡大した縦断面図、図１３は浴槽用排水筒部６３の外側筒部６４及び鍔付き内側筒部６５と接合管１４とゴミ捕獲具８０とを分離した状態を示す斜視図、図１４は外側筒部６４及び鍔付き内側筒部６５を接合して組立てた浴槽用排水筒部６３にゴミ捕獲具８０を装着した状態を示す斜視図、図１５は組立てた浴槽用排水筒部６３に接合管１４を接合した状態を示すものであって左半分を縦断面した側面図、図１６は浴槽用排水筒部６３にゴミ捕獲具８０を取付けた状態を示す側面図、図１７は槽用排水筒部６３の鍔付き内側筒部６５を破断して示すと共に一方の逆止弁７０の弁体７５を分離した状態を示す平面図、図１８は図１７のＦ−Ｆ線で断面した側面図、図１９は逆止弁７０の弁体７５を示すものであって、図（Ａ）は斜視図、図（Ｂ）は正面図、図（Ｃ）は平面図、図（Ｄ）は背面図、図（Ｅ）は左側面図である。
【００２９】
本実施形態に係る本発明排水装置６１が前記第１の実施形態（図１〜図１１）の本発明排水装置１と大きく異なる所は、図１２に示す如く浴槽用排水筒部６３の背丈Ｈ（図１５参照）を第１の実施形態の浴槽用排水筒部１３（図１参照）の背丈よりも低くしたものであって、第１の実施形態に係る背丈が高く通水能力の大きな逆止弁２０（図１参照）を取着することができないために、浴槽用排水筒部６３に複数組（本例は二組）の逆止弁７０（図１７参照）を設けたものである。本実施形態に係る本発明排水装置６１は、前記第１の実施形態（図１〜図１１）の本発明排水装置１と同様に、浴槽用排水筒部６３の筒内側６３ｄから浴槽パン用排水受け口部１２の内側１２ｃへの通水を阻止すると共に、浴槽パン用排水受け口部１２の内側１２ｃから浴槽用排水筒部６３の筒内側６３ｄへの通水を二組の逆止弁７０，７０で可能としたものであり、浴槽排水栓３１の開弁により浴槽２から排出する浴槽水を、浴槽排水口３から浴槽用排水筒部６３の筒内側６３ｄを通過させた後に、浴槽用排水路１７で導いて集合排水路１５（図１参照）から外部へ排出させる。この間、各逆止弁７０は、閉弁状態を維持しており、浴槽排水を浴槽パン用排水受け口部１２の内側１２ｃへ流出させることはない。
【００３０】
前記浴槽用排水筒部６３は、図１５及び図１８に示す如く、外側筒部６４及び鍔付き内側筒部６５を備え、外側筒部６４の内側に鍔付き内側筒部６５の筒本体部６５ｃを内挿すると共に、外側筒部６４の上側開口周縁６４ａに鍔付き内側筒部６５の鍔部６５ｂを水密に接合（例えば接着）して、外側筒部６４の上側開口部を覆蓋してある。浴槽用排水筒部６３は、図１２に示す如く、浴槽パン用排水受け口部１２の内側１２ｃに配置され、上方開口部６３ａを浴槽排水口３へ連通させると共に、下方開口部６３ｂを区画壁２７の開口部２８へ伸縮可能な接合管１４を介して接合させることで、筒内側６３ｄと浴槽用排水路１７とを確実に連通させてある。浴槽用排水路１７は、集合排水路１５（図１参照）へ至る下流側が上方へ折れ曲がって、水路内に水封用溜水を蓄えるようになっており、浴槽用排水筒部６３の筒内側６３ｄに封水面Ｗ１を形成するようにしてある。浴槽用排水筒部６３は、鍔付き内側筒部６５の筒本体部６５ｃの下端を水封面Ｗ１より低い位置にして封水することにより、浴槽パン４の内側を洗浄して生じた洗浄排水が各逆止弁７０を開弁させて筒内側６３ｄへ流入したとき、洗浄排水中の泡を浴槽排水口３へ流出させるのを阻止するようにしてある。
【００３１】
前記浴槽用排水筒部６３は、図１２に示す如く、鍔付き内側筒部６５の鍔部６５ｂと、鍔付き内側筒部６５の上方開口部６５ａに螺着した浴槽側排水口部材３０の鍔部３０ａとで、浴槽排水口３の開口周縁を水密に挟持してある。浴槽側排水口部材３０は、内部に排水栓３１が内蔵され、浴槽縁部等に設けた操作ボタン（図示略）と排水栓を操作ケーブルＫで連結して、操作ボタンの操作で排水栓３１を開閉するようにしてある。操作ケーブルＫは、浴槽用排水筒部６３に設けた操作ケーブル挿通部６６を挿通させてある。
【００３２】
本体ケーシング１１に形成した浴槽パン用排水受け口部１２は、図１２に示す如く前記第１の実施形態と同様に、その上端側に形成した鍔部１２ｂと、上方開口部１２ａに螺着した接合具３２の鍔部３２ａとで、浴槽パン排水口４の開口周縁を水密に挟持してある。浴槽パン用排水受け口部１２は、その底部を形成する区画壁２７に、浴槽パン用排水路１６（図４，図５参照）の上流側が開口２７ａして（図４参照）連通している。浴槽パン用排水路１６（図４参照）は、集合排水路１５（図１参照）へ至る下流側が上方へ折れ曲がって、水路内に水封用溜水を蓄えるようになつており、浴槽パン用排水受け口部１２の内側１２ｃに封水面Ｗ２を形成するようにしてある。この封水面Ｗ２は、前記浴槽用排水筒部６３の封水面Ｗ１と同一又は略同一の高さ位置（本例は同一の高さ位置）としてある。      
【００３３】
本発明排水装置６１は、図１２に示す如く、浴槽パン４の内側を洗浄する等して浴槽パン用排水路１６（図４，図５参照）の排水能力よりも多量の浴槽パン排水が生じたとき、浴槽パン用排水受け口部１２へ至る浴槽パン排水で浴槽パン用排水受け口部１２の内側１２ｃの水位が上昇し、浴槽用排水筒部６３の筒内側６３ｄと筒外側（浴槽パン用排水受け口部１２の内側１２ｃ）の水位差で各逆止弁７０の弁体７５が揺動して開弁する（図１８に二点鎖線で示す状態）。各逆止弁７０が開弁した本発明排水装置６１は、浴槽パン排水を分流させ、その一部が開弁中の各逆止弁７０を通過して浴槽用排水筒部６３の筒内側６３ｄへ流入し、排水能力が浴槽パン用排水路１６より大きな浴槽用排水路１７で導かれて集合排水路１５へ至り、分流した残部が浴槽パン用排水受け口部１２の内側１２ｃを通過し、浴槽パン用排水路１６（図４，図５参照）で導かれて集合排水路１５へ至り、集合排水路１５で両方が合流して外部へ排出される。このように、本発明排水装置６１は、複数組の逆止弁７０を設けることにより、例え浴槽パン排水量が増大しても、浴槽パン排水を分流して二つの排水路１６，１７で導いて集合排水路１５で合流させることで、排水能力を増大させることができる。
【００３４】
前記各逆止弁７０は、図１７及び図１８に示す如く、浴槽用排水筒部６３の外側筒部６４に開設した通水口７７における筒内側６３ｄに面する開口周縁に形成した弁座７６と、外側筒部６４の筒内側６３ｄに設けた一対の軸受部７８，７８に揺動自在に軸部７５ａ，７５ａ（図１９参照）を軸支した弁体７５とを備え、通常は弁体７５の自重で閉弁状態となっており、浴槽パン用排水受け口部１２（図１２参照）の内側１２ｃの水位が浴槽パン排水で上昇したときに、浴槽パン排水で押圧された弁体７５が開弁状態（図１８に二点鎖線で示す状態）となるようにしてある。弁体７５の取付けは、外側筒部６４に鍔付き内側筒部６５の鍔部６５ｂを接合する前の状態のときに、上面側が開口した軸受部７８，７８へ弁体７５の軸部７５ａ，７５ａを挿入し、その後に、外側筒部６４に鍔付き内側筒部６５の鍔部６５ｂを接合し、軸受部７８，７８の開口している上面側を鍔部６５ｂで覆って、軸受部７８，７８から弁体７５の軸部７５ａ，７５ａが抜け出さないようにしてある。弁体７５は、弁体７５の周囲が満水状態となったとしても浮力で開弁方向へ浮上しないように、比重の大きな合成樹脂等の素材で形成してある。
【００３５】
前記浴槽用排水筒部６３は、図１２に示す如く、逆止弁７０，７０に対して上流側となる前記浴槽パン用排水受け口部１２に面する側面部位に、ゴミ捕獲具８０を着脱自在に設けてある。ゴミ捕獲具８０は、図１３〜図１６に示す如く、中間の二股部８２と、二股部８２の両側から延設され多数の小径の通水孔８１ａを開設した捕獲部８１，８１と、二股部８２から延設された把手８４とを備え、二股部８２の内側に係合凹部８３ａを形成した係合部８３を設けてある。ゴミ捕獲具８０は、浴槽用排水筒部６３に対して着脱可能となっており、取り外して保守点検し易い場所へ移して、捕獲して付着しているゴミを除去する等の保守点検が簡単できるようにしてある。ゴミ捕獲具８０は、浴槽用排水筒部６３の操作ケーブル挿通部６６に設けた係止部８５の係止片８５ａに、二股部８２の弾性を利用して係合部８３の係合凹部８３ａを係合させ、把手８４を持ち上げて二股部７９の弾性に抗して強制的に非係合状態としない限り、浴槽用排水筒部６３から分離しないようにしてある。ゴミ捕獲具８０は、浴槽用排水筒部６３に取付けられると、捕獲部８１，８１を逆止弁７０，７０と対面させ、逆止弁７０，７０の開弁に伴い通過する浴槽パン排水に混ざっているゴミを捕獲部８１，８１で捕捉して、各弁座７６と弁体７５との間にゴミを至らせずに各逆止弁７０の円滑な開閉を維持させることができる。
【図面の簡単な説明】
【００３６】
【図１】本発明排水装置の第１の実施形態の全体を示す縦断面図である。
【図２】同実施形態における浴槽パン用排水受け口部の近辺を拡大した縦断面図である。
【図３】同実施形態において、浴槽用排水筒部の弁取着用開口部へ逆止弁を取着する途中を示す縦断面図である。
【図４】同実施形態において、本発明排水装置を浴槽及び浴槽パンから取り外した状態の平面図である。
【図５】図４のＶ−Ｖ線で断面した拡大横断面図である。
【図６】同実施形態における逆止弁と浴槽用排水筒部との関係を示すものであり、図（Ａ）は浴槽用排水筒部に逆止弁を取着した状態を示す斜視図、図（Ｂ）は分解した逆止弁と浴槽用排水筒部と接合管とを分離して示す斜視図である。
【図７】同実施形態における浴槽用排水筒部を示すものであって、図（Ａ）は正面図、図（Ｂ）は平面図、図（Ｃ）は底面図、図（Ｄ）は背面図、図（Ｅ）は左側面図、図（Ｆ）は図（Ａ）のｆ−ｆ線で断面した左側断面図である。
【図８】同実施形態における逆止弁を示すものであって、図（Ａ）は着脱用主体部と弁座形成枠体を分離して示す縦断面した側面図、図（Ｂ）は着脱用主体部に弁座形成枠体を嵌着して、弁体が取り付けられる前の状態を示す部分断面した側面図、図（Ｃ）は組み立てられた逆止弁を示す部分断面した側面図である。
【図９】同実施形態における逆止弁の弁座形成枠体を示すものであって、図（Ａ）は正面図、図（Ｂ）は平面図、図（Ｃ）は底面図、図（Ｄ）は背面図、図（Ｅ）は左側面図、図（Ｆ）は図（Ａ）のｆ−ｆ線で断面した左側断面図である。
【図１０】同実施形態における逆止弁の着脱用主体部を示すものであって、図（Ａ）は正面図、図（Ｂ）は平面図、図（Ｃ）は底面図、図（Ｄ）は背面図、図（Ｅ）は左側面図、図（Ｆ）は図（Ａ）のｆ−ｆ線で断面した左側断面図である。
【図１１】同実施形態における逆止弁の弁体を示すものであって、図（Ａ）は正面図、図（Ｂ）は平面図、図（Ｃ）は底面図、図（Ｄ）は背面図、図（Ｅ）は左側面図、図（Ｆ）は図（Ａ）のｆ−ｆ線で断面した左側断面図である。
【図１２】本発明排水装置の第２の実施形態における浴槽パン用排水受け口部の近辺を拡大した縦断面図である。
【図１３】同実施形態における浴槽用排水筒部の外側筒部及び鍔付き内側筒部と接合管とゴミ捕獲具とを分離した状態を示す斜視図である。
【図１４】同実施形態における外側筒部及び鍔付き内側筒部を接合して組立てた浴槽用排水筒部にゴミ捕獲具を取付けた状態を示す斜視図である。
【図１５】同実施形態における組立てた浴槽用排水筒部に接合管を接合した状態を示すものであって左半分を縦断面した側面図である。
【図１６】同実施形態における浴槽用排水筒部にゴミ捕獲具を取付けた状態を示す側面図である。
【図１７】同実施形態における槽用排水筒部の鍔付き内側筒部を破断して示すと共に一方の逆止弁の弁体を分離した状態を示す平面図である。
【図１８】図１７のＦ−Ｆ線で断面した側面図である。
【図１９】同実施形態における逆止弁の弁体を示すものであって、図（Ａ）は斜視図、図（Ｂ）は正面図、図（Ｃ）は平面図、図（Ｄ）は背面図、図（Ｅ）は左側面図である。
【符号の説明】
【００３７】
３…浴槽排水口、５…浴槽パン排水口、１２…浴槽パン用排水受け口部、１３（６３）…浴槽用排水筒部、１３ｄ（６３ｄ）…筒内側、１５…集合排水路、１６…浴槽パン用排水路、１７…浴槽用排水路、２０（７０）…逆止弁
【図１】
2008280809.tif 000003
【図２】
2008280809.tif 000004
【図３】
2008280809.tif 000005
【図４】
2008280809.tif 000006
【図５】
2008280809.tif 000007
【図６】
2008280809.tif 000008
【図７】
2008280809.tif 000009
【図８】
2008280809.tif 000010
【図９】
2008280809.tif 000011
【図１０】
2008280809.tif 000012
【図１１】
2008280809.tif 000013
【図１２】
2008280809.tif 000014
【図１３】
2008280809.tif 000015
【図１４】
2008280809.tif 000016
【図１５】
2008280809.tif 000017
【図１６】
2008280809.tif 000018
【図１７】
2008280809.tif 000019
【図１８】
2008280809.tif 000020
【図１９】
2008280809.tif 000021